(57)【要約】【課題】最終的に適合性に優れた補綴物を高い精度で作成することが可能になる印象用トレーを提供する。【解決手段】歯列に沿って複数本の歯の咬合面と対向するＵ字状の底板部１と、この底板部に一体形成されて上記複数本の歯および歯茎の側面と対向する側壁部２とを有し、少なくとも底板部１に複数の穴部６が形成されるとともに、底板部１および側壁部２によって形成される凹部Ｓ内に印象材５が注入されるトレー本体３を備えた印象用トレーにおいて、底板部１の外面上に、複数の支持部１１を間に介して平板状の押圧板１２を、上記外面との間に間隙を形成して設けた。【選択図】図１
2015223450.tif 000002
【特許請求の範囲】
【請求項１】
歯列に沿って複数本の歯の咬合面と対向するＵ字状の底板部と、この底板部に一体形成されて上記複数本の歯および歯茎の側面と対向する側壁部とを有し、少なくとも上記底板部に複数の穴部が形成されるとともに、上記底板部および側壁部によって形成される凹部内に印象材が注入されるトレー本体を備えた印象用トレーにおいて、
上記底板部の外面上に、複数の支持部を間に介して平板状の押圧板を、上記外面との間に間隙を形成して設けたことを特徴とする印象用トレー。
【請求項２】
上記押圧板には、当該押圧板の外面側から上記間隙に上記印象材を注入可能な孔部が穿設されていることを特徴とする請求項１に記載の印象用トレー。
【発明の詳細な説明】
【技術分野】
【０００１】
本発明は、歯科治療において口腔内の歯列の型を採取するための印象材を保持する印象用トレーに関するものである。
【背景技術】
【０００２】
歯科治療において、義歯等の補綴物を作成する際には、まず印象材に上記補綴物を挿入する歯牙を含む歯列全体の形を転写し、この転写された印象材を用いて上記歯列の石膏型を作成して、この石膏型から上記補綴物を鋳造する方法が広く採用されており、上記印象材によって歯列全体の形を転写する際には、上記印象材を保持しておくための印象用トレーが用いられている。
【０００３】
図６は、従来のこの種の印象用トレーを示すものである。
この印象用トレーは、下顎用のもので、下顎の歯列に沿って当該歯列を構成する全ての歯の咬合面と対向するＵ字状の底板部１およびこの底板部１の両側縁に一体形成されて上記歯牙の側面および歯茎の一部と対向する一対の側壁部２によって形成されたトレー本体３と、このトレー本体３から外方に延出する把持部４とから構成された合成樹脂製あるいは金属性の部材である。
【０００４】
そして、この印象用トレーは、底板部１および側壁部２によって形成されるＵ字状の凹部Ｓ内に印象材５（図７参照。）が注入されるもので、底板部１および側壁部２には、複数の穴部６が形成されている。
【０００５】
上記構成からなる印象用トレーを用いて、歯列全体の石膏型を作成するには、まずＵ字状の凹部Ｓ内に印象材５を注入する。ここで、印象材５としては、例えばアルギン酸塩の粉末に水を加えて混練したものが用いられている。この印象材５は、印象用トレーに注入する際には、コロイド溶液状を呈している。
【０００６】
次いで、この印象用トレーを口腔内に挿入し、印象材５を歯列の咬合面側に臨ませて、把持部４を下方に移動させ、さらに底板部１および側壁部２によって歯および歯茎上部を囲繞するように押圧する。これにより、印象材５が凹部Ｓ内に生じる圧力によって印象相手となる歯牙の隅々まで行き渡るとともに、一部が図７に示すように、穴部６から外部に膨出する。
【０００７】
次いで、印象材５が硬化するまでトレー本体３の浮き上がりや落下を防止するとともに、歯牙に対する密着性を高めるために、指Ｆでトレー本体３における底板部１の外面を上記咬合面側に向けて押圧する。そして、この状態を保持しつつ一定時間が経過すると、印象材５がゲル化反応によって弾力性を有する硬化体になり、上記歯列の歯牙形状が転写された状態になる。この状態において、底板部１および側壁部２と印象材５との境界面は、弾力のある印象材５により圧着されている。
【０００８】
そこで次に、歯列から印象材５を取り外すために、印象用トレーの把持部４を垂直に引き上げて移動させて、印象材５とともにトレー本体１を歯列から引き抜く。この際に、印象材５は、歯牙の全面に密着しているものの、印象材５の穴部６から外部に膨出して硬化した部分５ａが、トレー本体３の内面から印象材５が引き剥がされることに抵抗するために、最終的に歯列と印象材５との境界に空気が侵入して、印象用トレーが印象材５とともに歯列から取り外される。
【０００９】
そして、印象材５の歯列を転写した部分に石膏を流入させて硬化させることにより、上記歯列および歯茎上部の石膏型を作成される。
ところで、下記非特許文献１によれば、上記石膏型から作成された補綴物の適合満足度に関する調査結果として、２面インレー、３面インレー、冠、１歯欠損ブリッジあるいは２歯欠損ブリッジといった種別において相違はあるものの、概ね２５％〜６０％の会員が、極めて良好または良好と評価せずに、だいたい可または不可と評価していることが報告されている。
【００１０】
そこで、本発明者は、上記石膏型から作成された補綴物の適合性に問題が生じる要因について鋭意研究を重ねた結果、図８に示すように、歯列に強固に密着した印象材５を上記歯列から引き剥がすべく印象用トレーを強い引張力で上方に移動させようとした際に、図９に示すように印象用トレーの底板部１や側壁部２が曲げ応力によって変形して印象材５にも歪みが生じることにより、印象材５の穴部６から膨出した部分５ａと穴部６との間に形成された僅かな隙間から、空気が印象材５と底板部１あるいは側壁部２との間に侵入してしまうのではないかと考えた。
【００１１】
そして、一旦印象材５とトレー本体３の内面との間に空気が侵入すると、印象材５と底板部１または側壁部２の内面との密着が解けて、印象材５がミクロン単位で浮き上がってしまい、この結果、印象材５における歯列の転写形状に誤差が生じて、当該印象材５から作成された石膏型と本来の歯列との間に形状誤差を生じてしまうことが主たる要因であると推察された。
【００１２】
また、図７に示すように、奥歯に対する密着性を高めるために、指Ｆでトレー本体３における底板部１の外面を上記咬合面側に向けて押圧する際にも、印象材５の穴部６から膨出した部分５ａを潰してしまうと、同様の現象が生じると推察された。
【００１３】
そこで次に、図５に示すように、印象用トレーの凹部Ｓ内に印象材５を注入した後に、さらに外側から印象材５を底板部１および側壁部２の外面に連続した層５ｂを形成するように塗布して、同様に歯列に外装して硬化させ、これを用いて上記石膏型を作成して補綴物を得たところ、従来と比較してその適合性が飛躍的に向上することが実証された。
【先行技術文献】
【非特許文献】
【００１４】
【非特許文献１】「補綴装置の精度と臨床」斉藤季夫  日本歯科医師会雑誌 Vol.64 No.6 2011-9
【発明の概要】
【発明が解決しようとする課題】
【００１５】
本発明は、上述した知見に基づく印象法を容易に実現すべくなされたものであり、最終的に適合性に優れた補綴物を高い精度で作成することが可能になる印象用トレーを提供することを課題とするものである。
【課題を解決するための手段】
【００１６】
上記課題を解決するため、請求項１に記載の発明は、歯列に沿って複数本の歯の咬合面と対向するＵ字状の底板部と、この底板部に一体形成されて上記複数本の歯および歯茎の側面と対向する側壁部とを有し、少なくとも上記底板部に複数の穴部が形成されるとともに、上記底板部および側壁部によって形成される凹部内に印象材が注入されるトレー本体を備えた印象用トレーにおいて、上記底板部の外面上に、複数の支持部を間に介して平板状の押圧板を、上記外面との間に間隙を形成して設けたことを特徴とするものである。
【００１７】
また、請求項２に記載の発明は、請求項１に記載の発明において、上記押圧板には、当該押圧板の外面側から上記間隙に上記印象材を注入可能な孔部が穿設されていることを特徴とするものである。
【発明の効果】
【００１８】
請求項１または２に記載の発明によれば、トレー本体の底板部の外面上に、複数の支持部を間に介して平板状の押圧板を、上記外面との間に間隙を形成して設けているために、図５に示したように、印象用トレーの外側から印象材５を底板部１および側壁部２の外面に連続した層５ｂを形成するように塗布して、歯列に外装する際に、上記押圧板を指で押圧することにより、上記印象材５の層５ｂを壊すことなく、印象材が硬化するまでの間、トレー本体の浮き上がりや脱落を防止するとともに歯牙に対する印象材５の密着性を高めることができる。この結果、最終的に適合性に優れた補綴物を容易に高い精度で作成することが可能になる。
【００１９】
加えて、上記押圧板によって、トレー本体を歯牙側に押圧する際に、穴部から膨出した印象材の垂れや落下を防止することができるとともに、硬化後にトレー本体を歯列から引き抜く際に、上記押圧材を器具や指で把持して容易に作業を行うことが可能になる。
【００２０】
また、支持部の長さ寸法を、底板部の外面に連続した印象材の層を形成するに十分な間隙に設定すれば、上記押圧板が、支柱部のみならず上記間隙に充填されて硬化した印象材の層によっても支持されるために、安定的な押圧および歯列に対する保持を行うことができる。
【００２１】
この際に、請求項２に記載の発明においては、押圧板に上記間隙に印象材を注入可能な孔部を穿設しているために、当該孔部を利用することにより、容易に上記押圧板の外面側からトレー本体の底板部および側壁部の外面に塗布することができる。
【図面の簡単な説明】
【００２２】
【図１】本発明に係る印象用トレーの一実施形態を示す平面視した斜視図である。
【図２】図１の底面視した斜視図である。
【図３】図１の側面視した斜視図である。
【図４】本発明の他の実施形態を示す平面視した斜視図である。
【図５】図１のトレー本体の外面に印象材を塗布した状態を示す斜視図である。
【図６】従来の印象用トレーを示す平面視した斜視図である。
【図７】図６の凹部内に印象材を注入した状態を示す斜視図である。
【図８】図７の穴部における縦断面図である。
【図９】図８のトレー本体に応力が作用した状態を示す拡大断面図である。
【発明を実施するための形態】
【００２３】
図１〜図３は、本発明に係る印象用トレーの一実施形態を示すもので、図６に示したものと同一構成部分については、同一符号を付してその説明を簡略化する。
この印象用トレー１０は、図５に示したトレー本体３の底板部１および側壁部２の外面に連続した印象材５の層５ｂを形成して歯列に外装する印象法を実施するために用いて好適なもので、トレー本体３の底板部１の外面上に、複数本（本実施形態においては８本）の支持部１１を間に介して平板状の押圧板１２を固定したものである。
【００２４】
ここで、本実施形態においては、支持部１１としてはボルト部材が用いられている。これらボルト部材１１は、底板部１の内面側から当該底板部１に穿設された孔部に螺合されて立設されるとともに、上端部が押圧板１２に螺合されることにより、押圧板１２を底板部１上に支持するものである。
【００２５】
そして、ボルト部材１１の長さ寸法は、底板部１の外面に連続した印象材５の層５ｂを形成するに十分な間隙Ｌが底板部１の上面と押圧板１２との間に形成されるように設定されている。
なお、上記支持部としては、上記ボルト部材１１の他、例えばトレー本体３と押圧板１２と上記支持部とを射出成形によって一体に形成するようにしてもよい。
【００２６】
また、押圧板１２は、合成樹脂製または金属製の平板が底板部１の上面に沿うＵ字状に形成されたもので、複数の孔部１３が形成されている。これら孔部１３は、押圧板１２の外面側から上記間隙Ｌに印象材５を注入可能な寸法に形成されている。
【００２７】
なお、上記実施形態においては、１枚の押圧板１２を底板部１の上面の略全長に沿うように配置した場合について説明したが、本発明はこれに限定されるものではなく、例えば図４に示す他の実施形態のように、歯列への外装時に指でトレー本体を当該歯列側に押圧する箇所（図では２箇所）のみに、各々押圧板１４を設けるようにしてもよい。
【００２８】
また、図１〜図４に示した実施形態は、いずれも本発明に係る印象用トレーを下顎用のものに適用した場合について示したが、本発明は外周側にのみ側壁部２が形成されている上顎用の印象用トレーにも同様に適用することが可能である。
【００２９】
上記構成からなる印象用トレーによれば、トレー本体３の底板部１の外面上に、複数のボルト部材１１を間に介して平板状の押圧板１２、１４を、底板部１との間に間隙Ｌを形成して設けているために、図５に示したように、印象用トレーの外側から印象材５を底板部１および側壁部２の外面に連続した層５ｂを形成するように塗布して歯列に外装する際に、これら押圧板１２、１４を指で押圧することができる。
【００３０】
これにより、トレー本体３の外面に塗布した印象材５の層５ｂを壊すことなく、底板部１を歯列側に押圧して歯列に対する印象材５の密着性を高めることができ、よって最終的に適合性に優れた補綴物を容易に高い精度で作成することが可能になる。
【００３１】
加えて、押圧板１２、１４によって、トレー本体３を歯牙側に押圧する際に、穴部６から膨出した印象材５、５ａの垂れや落下を防止することができるとともに、硬化後にトレー本体３を歯列から引き抜く際に、押圧材１２、１４を器具や指で把持して容易に作業を行うことが可能になる。
【００３２】
また、ボルト部材１１の長さ寸法を、底板部１の外面に連続した印象材５の層５ｂを形成するに十分な間隙Ｌに設定すれば、押圧板１２、１４が、ボルト部材１１のみならず間隙Ｌに充填されて硬化した印象材５の層５ｂによっても支持されるために、安定的な押圧および歯列に対する保持を行うことができる。
【００３３】
加えて、押圧板１２、１４に、上記間隙Ｌに印象材５ｂを注入可能な孔部１３を穿設しているために、これら孔部１３を利用することにより、容易に押圧板１２、１４の外面側から底板部１および側壁部２の外面に印象材５ｂを塗布することができる。
【符号の説明】
【００３４】
１  底板部
２  側壁部
３  トレー本体
４  把持部
５  印象材
６  穴部
１０  印象用トレー
１１  ボルト部材（支持部）
１２、１４  押圧板
１３  孔部
Ｌ  間隙
【図１】
2015223450.tif 000003
【図２】
2015223450.tif 000004
【図３】
2015223450.tif 000005
【図４】
2015223450.tif 000006
【図５】
2015223450.tif 000007
【図６】
2015223450.tif 000008
【図７】
2015223450.tif 000009
【図８】
2015223450.tif 000010
【図９】
2015223450.tif 000011